(57)【要約】【課題】電子番組表上の所定の番組に対応するビデオオンデマンドコンテンツがビデオオンデマンドのコンテンツリストに含まれることを容易に識別可能な電子番組表を実現すること。【解決手段】電子番組表を生成する番組表生成装置（２０及び２０ａ）は、番組に関するメタデータから番組表を生成する番組表生成部（２２）を備え、上記番組表生成部（２２）は、上記番組欄に上記ビデオオンデマンドコンテンツが存在する旨の情報を含ませる。【選択図】図１
2019054316.tif 000002
【特許請求の範囲】
【請求項１】
電子番組表を生成する番組表生成装置であって、
番組に関するメタデータから電子番組表を生成する番組表生成部を備え、
上記番組表生成部は、所定の番組欄に係る番組に対応するビデオオンデマンドコンテンツが存在する場合に、上記番組欄に上記ビデオオンデマンドコンテンツが存在する旨の情報を含ませることを特徴とする番組表生成装置。
【請求項２】
上記番組表生成部は、所定の番組欄に係る番組に対応するビデオオンデマンドコンテンツが存在する場合に、上記番組欄から上記ビデオオンデマンドコンテンツにアクセス可能な電子番組表を生成することを特徴とする請求項１に記載の番組表生成装置。
【請求項３】
上記番組表生成部は、ビデオオンデマンドコンテンツを視聴した場合に、電子番組表上の現在時間枠の番組に係る番組欄であって、上記ビデオオンデマンドコンテンツが属する放送局の番組に係る番組欄を、上記ビデオオンデマンドコンテンツに係る番組欄に差し替えることを特徴とする請求項２に記載の番組表生成装置。
【請求項４】
請求項１から３までの何れか１項に記載の番組表生成装置と、表示部とを備えた表示装置であって、
上記表示部は、上記ビデオオンデマンドコンテンツの再生終了後に、上記ビデオオンデマンドコンテンツのアクセス元である電子番組表又は上記ビデオオンデマンドコンテンツが属する放送局の番組を表示することを特徴とする表示装置。
【請求項５】
上記表示部は、開始時刻が過ぎた放送中の番組であって、対応するビデオオンデマンドコンテンツが存在する番組において、上記番組の放送波による放送を視聴するのか、又はビデオオンデマンドサービスを視聴するのかを選択可能に表示することを特徴とする請求項４に記載の表示装置。
【請求項６】
上記表示部は、電子番組表上における番組に対応するビデオオンデマンドコンテンツが選択された場合に、再生が許可されている場合は即時に、再生が許可されていない場合には、再生が許可された後に任意の視聴タイミングで上記ビデオオンデマンドコンテンツを表示することを特徴とする請求項４又は５に記載の表示装置。
【請求項７】
上記表示部は、電子番組表上において対応するビデオオンデマンドコンテンツが存在しない番組が選択された場合に、当該番組に対応するビデオオンデマンドコンテンツの配信が開始した後に任意の視聴タイミングで上記ビデオオンデマンドコンテンツを表示することを特徴とする請求項４から６までの何れか１項に記載の表示装置。
【請求項８】
請求項４から７までの何れか１項に記載の表示装置を備えることを特徴とするテレビジョン受像機。
【請求項９】
番組に関するメタデータを生成するメタデータ生成装置であって、
所定のビデオオンデマンドサービスからコンテンツを検出するコンテンツ検出部を備え、
上記コンテンツ検出部が検出したビデオオンデマンドコンテンツであって、当該番組に対応するビデオオンデマンドコンテンツが存在する場合に、上記番組に関するメタデータに上記ビデオオンデマンドコンテンツが存在する旨の情報を含ませる
ことを特徴とするメタデータ生成装置。
【請求項１０】
電子番組表を生成する番組表生成方法であって、
番組に関するメタデータから電子番組表を生成する番組表生成ステップを含み、
上記番組表生成ステップにおいて、所定の番組欄に係る番組に対応するビデオオンデマンドコンテンツが存在する場合に、上記番組欄に上記ビデオオンデマンドコンテンツが存在する旨の情報を含ませることを特徴とする番組表生成方法。
【請求項１１】
番組に関するメタデータを生成するメタデータ生成方法であって、
所定のビデオオンデマンドサービスからコンテンツを検出するコンテンツ検出ステップを含み、
上記コンテンツ検出ステップにおいて検出したビデオオンデマンドコンテンツであって、当該番組に対応するビデオオンデマンドコンテンツが存在する場合に、上記番組に関するメタデータに上記ビデオオンデマンドコンテンツが存在する旨の情報を含ませる
ことを特徴とするメタデータ生成方法。
【請求項１２】
請求項１から３までの何れか１項に記載の番組表生成装置としてコンピュータを機能させるための制御プログラムであって、上記番組表生成部としてコンピュータを機能させるための制御プログラム。
【請求項１３】
請求項９に記載のメタデータ生成装置としてコンピュータを機能させるための制御プログラムであって、上記コンテンツ検出部としてコンピュータを機能させるための制御プログラム。
【請求項１４】
請求項１２に記載の制御プログラムを記録したコンピュータ読み取り可能な記録媒体。
【請求項１５】
請求項１３に記載の制御プログラムを記録したコンピュータ読み取り可能な記録媒体。
【発明の詳細な説明】
【技術分野】
【０００１】
本発明は、番組表生成装置、表示装置、テレビジョン受像機、メタデータ生成装置、番組表生成方法、メタデータ生成方法、制御プログラム及び記録媒体に関する。
【背景技術】
【０００２】
従来、デジタルテレビでは、電子番組表を使用して時系列に並んでいる番組をリモコン等で選択することで、番組を選択し放送を視聴することができる。また、ビデオオンデマンド（サービス）では、コンテンツリストから目的のビデオオンデマンドコンテンツを選択することでインターネットを介してビデオオンデマンドコンテンツを視聴することができる。ビデオオンデマンドコンテンツには、デジタル放送で過去に放送された番組も含まれ、上記番組をビデオオンデマンドで視聴する場合、放送時間に縛られることなく、当該番組を視聴することができる。下記の特許文献１では、放送受信用の受信機がインターネットを介して放送局と常時接続され、視聴者のリクエストに応じて放送番組が放送されるオンデマンド放送方法において、あらかじめ視聴者に配信しておいた放送番組のリストの中からインターネットを経由して放送局に集められた視聴者のリクエストを集計し、その集計結果を参酌して自動的に作成した番組編成表を放送波又はインターネットを介して視聴者に配信するオンデマンド放送方法が開示されている。
【先行技術文献】
【特許文献】
【０００３】
【特許文献１】特開２００３−６９９８４号公報（２００３年３月７日公開）
【発明の概要】
【発明が解決しようとする課題】
【０００４】
しかしながら、上述のような従来技術は、電子番組表上に存在する番組をビデオオンデマンドで選択する場合に、コンテンツリストから放送局（サービサー）やジャンルやタイトルなどで絞り込みを行って当該番組を見つけ出す必要がある。
【０００５】
本発明の一態様は、以上の課題を鑑みてなされたものであり、ユーザが、電子番組表上の所定の番組に対応するビデオオンデマンドコンテンツがビデオオンデマンドのコンテンツリストに含まれることを容易に識別可能な電子番組表を実現することを目的とする。
【課題を解決するための手段】
【０００６】
上記の課題を解決するために、本発明の一態様に係る番組表生成装置は、電子番組表を生成する番組表生成装置であって、番組に関するメタデータから番組表を生成する番組表生成部を備え、上記番組表生成部は、ある番組欄に係る番組に対応するビデオオンデマンドコンテンツが存在する場合に、上記番組欄に上記ビデオオンデマンドコンテンツが存在する旨の情報を含ませる。
【０００７】
また、本発明の一様態に係るメタデータ生成装置は、番組に関するメタデータを生成するメタデータ生成装置であって、所定のビデオオンデマンドサービスからコンテンツを検出するコンテンツ検出部を備え、上記コンテンツ検出部が検出したビデオオンデマンドコンテンツであって、当該番組に対応するビデオオンデマンドコンテンツが存在する場合に、上記番組に関するメタデータに上記ビデオオンデマンドコンテンツが存在する旨の情報を含ませる。
【発明の効果】
【０００８】
本発明の一態様によれば、ユーザが電子番組表上の所定の番組に対応するビデオオンデマンドコンテンツの存在を容易に把握できる効果を奏する。
【図面の簡単な説明】
【０００９】
【図１】実施形態１に係るメタデータ生成装置１０及び表示装置４（を備えるテレビジョン受像機２）の機能ブロック図である。
【図２】実施形態１に係るメタデータ生成装置１０の処理の流れを示すシーケンス図である。
【図３】実施形態１に係る表示装置４の処理の流れを示すシーケンス図である。
【図４】番組のメタデータの一種であるＥＩＴ（Event Information Table）にビデオオンデマンドコンテンツに関する情報を含ませる例を示す図である。
【図５】実施形態１に係る過去の時間帯に属する番組に係る電子番組表の一例である。
【図６】実施形態２に係るメタデータ生成装置１０及び表示装置４ａの機能ブロック図である。
【図７】ビデオオンデマンドコンテンツの再生画面の一例である。
【図８】実施形態２の変形例２に係る現在の時間帯に属する番組に係る電子番組表の一例である。
【図９】電子番組表上で開始時間が過ぎた放送中の番組を選択した場合の表示を示す図である。
【図１０】実施形態２の変形例３に係る未来の時間帯に属する番組に係る電子番組表の一例である。
【図１１】電子番組表上で視聴ロックがされている番組を選択した場合の表示を示す図である。
【図１２】実施形態２の変形例５に係る電子番組表の処理を示す図である。
【発明を実施するための形態】
【００１０】
本発明の実施形態について図１〜図１２に基づいて説明すれば以下の通りである。
【００１１】
〔実施形態１〕
以下、本発明の一実施形態について、図１〜図５に基づいて説明する。
【００１２】
［１．メタデータ生成装置１０及び表示装置４の構成］
図１に基づいて、本実施形態に係るメタデータ生成装置１０及び表示装置４の構成を説明する。
【００１３】
図１は、本実施形態に係るメタデータ生成装置１０及び表示装置４（を備えるテレビジョン受像機２）の機能ブロック図である。
【００１４】
図１に示す通り、メタデータ生成装置１０は、制御部１１、記憶部１３、放送部１４、及び通信部１５を備えている。
【００１５】
制御部１１は、メタデータ生成装置１０全体を統括する制御回路であり、コンテンツ検出部１２としても機能する。コンテンツ検出部１２は、電子番組表生成に係る番組が所定のビデオオンデマンドサービスが含むビデオオンデマンドコンテンツと同一の内容であるか否かの判定を行う。記憶部１３は、各種データを保持する。当初記憶部１３には、本実施形態に係る電子番組表が含む番組に係るメタデータ（ＳＩ情報（Service Information情報））が格納されているものとする。
【００１６】
放送部１４は、直接的又は間接的にメタデータの配信を行う。
【００１７】
通信部１５は、ビデオオンデマンドサービスのコンテンツサーバ１との通信を行う。コンテンツサーバ１は、単数であることに限定されない。
【００１８】
また、テレビジョン受像機２はチューナー３と表示装置４とを備えている。
【００１９】
表示装置４は、番組表生成装置２０と表示部３０とを備えている。
【００２０】
番組表生成装置２０は、制御部２１、記憶部２３、受信部２４、及び入力受付部２５を備えている。制御部２１は、番組表生成装置２０全体を統括する制御回路であり、番組表生成部２２としても機能する。番組表生成部２２は、番組のメタデータから電子番組表の生成を行う。記憶部２３は各種データを保持する。受信部２４は、（必要に応じチューナー３を介して）番組のメタデータ及び番組放送の受信を行う。入力受付部２５は、リモコン又は番組表生成装置２０に対する直接の操作によるユーザの電子番組表等への指示を受信する。
【００２１】
表示部３０は、動画像を表示する表示パネルである。
【００２２】
［２．処理の流れ］
以下、メタデータ生成装置１０が番組のメタデータを生成する処理の流れについて、図１及び図２に基づいてステップごとに説明する。
【００２３】
図２は、本実施形態に係るメタデータ生成装置１０の処理の流れを示すシーケンス図である。
【００２４】
当初、メタデータ生成装置１０が備える記憶部１３には、本実施形態に係る電子番組表が含む番組に係るメタデータが格納されている。
【００２５】
（Ｓ１０１）
制御部１１は、通信部１５を介してコンテンツサーバ１からコンテンツリストを取得し、記憶部１３に格納する。
【００２６】
（Ｓ１０２）
本ステップでは、コンテンツ検出部１２が、記憶部１３に格納されているメタデータに係る所定の番組と同一の内容のビデオオンデマンドコンテンツが存在するか否かを判定する。同一のビデオオンデマンドコンテンツが存在する場合は、ステップＳ１０３へ、存在しない場合はステップＳ１０４へ遷移する。なお、上記判定は例えば、当該番組に係るネットワークＩＤ、ＴＳＩＤ、サービスＩＤ又はイベントＩＤ等のメタデータを当該ビデオオンデマンドコンテンツの再生制御情報に予め紐付け、上記メタデータと上記再生制御情報を比較した結果に基づいて行う。
【００２７】
（Ｓ１０３）
制御部１１は、ステップＳ１０２で判定対象となった番組のメタデータに、同一の内容のビデオオンデマンドコンテンツが存在する旨の情報を含ませる（記憶部１３上のデータを更新する）。
【００２８】
図４は、番組のメタデータの一種であるＥＩＴ（Event Information Table）にビデオオンデマンドコンテンツに関する情報を含ませる例を示す図である。
【００２９】
ここで、descriptor_tagは記述子を識別するためのタグ情報であり、descriptor_lengthは、当該記述子の長さを示す情報である。URL_base_lengthは、リンク先のＵＲＬのベースの長さを示す情報であり、URL_Lengthは、ＵＲＬを構成する文字列のバイト長を示す情報であり、URL_base_byteは、上記文字列を構成する各文字を示すフィールドである。URL_LengthとURL_base_byteとは、共にＵＲＬ情報を構成する。
【００３０】
図４においては、ビデオオンデマンドコンテンツに関する情報である上記の情報が、ＥＩＴのイベントループに挿入されている。
【００３１】
（Ｓ１０４）
本ステップでは、電子番組表を構成するメタデータに係る全ての番組について、ステップＳ１０２における判定を行ったか否かの判定を行う。全ての番組について判定を行った場合はステップＳ１０５へ、行っていない場合はステップＳ１０２へ遷移する。
【００３２】
（Ｓ１０５）
本ステップでは、メタデータに係る番組リスト又は上記コンテンツリストが更新されたか否かの判定を行う。
【００３３】
記憶部１３に格納されたメタデータは、メタデータ生成装置１０に対する直接の入力、又は制御部１１が、図１には図示しないデータベースとの同期を行うことにより、所定の時刻又は時間ごとに更新される。
【００３４】
また、記憶部１３に格納されたビデオオンデマンドコンテンツのコンテンツリストについても、制御部１１が通信部１５にコンテンツサーバ１へ所定の時刻又は時間ごとにアクセスさせることにより更新される。
【００３５】
メタデータに係る番組リスト又は上記コンテンツリストが更新された場合はステップＳ１０２へ、更新されていない場合は、ステップＳ１０５に留まる（／Ｓ１０５）。
【００３６】
制御部１１は、所定の時刻又は時間ごとに、番組ごとのメタデータが揃うごとに、又は常に、放送部１４に放送波によって直接的又は間接的に上記メタデータを配信させる。
【００３７】
次に、表示装置４が電子番組表を表示する処理の流れについて、図１及び図３に基づいてステップごとに説明する。
【００３８】
図３は本実施形態に係る表示装置４の処理の流れを示すシーケンス図である。
【００３９】
なお、記憶部２３は、過去の時間帯に属する番組の番組欄に係るＳＩ情報等のメタデータを保持している。
【００４０】
（Ｓ２０１）
受信部２４は、現在又は未来の時間帯に属する番組のメタデータを受信する。
【００４１】
図４に示す電子番組表に係るメタデータにおいて、番組表生成部２２は、ビデオオンデマンドコンテンツに関する情報を含むイベントループを展開することにより、電子番組表が含む番組に対応したビデオオンデマンドコンテンツに関する情報を取得する。
【００４２】
制御部２１は、番組に係るメタデータ及び上記ビデオオンデマンドコンテンツに関する情報を記憶部２３に格納する。
【００４３】
（Ｓ２０２）
本ステップでは、制御部２１が、記憶部２３に格納された所定の番組のメタデータが同一の内容のビデオオンデマンドコンテンツが存在する旨の情報を含んでいるか否かの判定を行う。上記番組のメタデータが同一の内容のビデオオンデマンドコンテンツが存在する情報を含んでいる場合はステップＳ２０３へ、含んでいない場合はステップＳ２０４へ遷移する。
【００４４】
（Ｓ２０３）
番組表生成部２２は、ステップＳ２０２で判定対象となった番組の番組欄を生成する。
【００４５】
上記番組欄の生成においては、当該番組と同一の内容のビデオオンデマンドコンテンツが存在する旨の情報を含ませる。
【００４６】
（Ｓ２０４）
番組表生成部２２は、ステップＳ２０２で判定対象となった番組の番組欄を生成する。上記番組欄の生成においては、当該番組と同一の内容のビデオオンデマンドコンテンツが存在する旨の情報は含ませない。
【００４７】
（Ｓ２０５）
本ステップでは、電子番組表が完成したか否かの判定を行う。
【００４８】
受信部２４が受信したメタデータに係る全ての番組の番組欄を生成した場合又は予め規定された期間の電子番組表が完成した場合は当該電子番組表を記憶部２３に格納する。他に番組欄を生成する余地がある場合はステップＳ２０２へ遷移する（／Ｓ２０５）。
【００４９】
図５は、本実施形態に係る過去の時間帯に属する番組に係る電子番組表の一例である。図５の番組欄９０に示すように、ビデオオンデマンドコンテンツが存在する場合には、ＶＯＤ（ビデオオンデマンドコンテンツ）有りという表記がなされている。また、特に表示装置４がインターネットに接続する機能を有する場合は、図５に示すように、当該電子番組表は、アドレスバー９１を含む構成であってもよい。
【００５０】
制御部２１は、ユーザの指示に応じて上記電子番組表を表示部３０に表示させる。
【００５１】
上記の構成によれば、ユーザが電子番組表上の所定の番組に対応するビデオオンデマンドコンテンツの存在を容易に把握できる効果を奏する。
【００５２】
〔実施形態２〕
本発明の他の実施形態について、図５〜図７に基づいて説明する。
【００５３】
本実施形態においては、ビデオオンデマンドコンテンツにアクセス可能な電子番組表の構成について説明する。
【００５４】
［１．メタデータ生成装置１０及び表示装置４ａの構成］
図６に基づいて、本実施形態の構成について説明する。
【００５５】
なお便宜上、上記実施形態にて説明した部材と同じ機能を有する部材については、同じ符号を付記し、説明を省略する。
【００５６】
図６は、本実施形態に係るメタデータ生成装置１０及び表示装置４ａの機能ブロック図である。
【００５７】
図６に示す通り、番組表生成装置２０ａは、図１で示す構成に加えて、通信部２６を備える。通信部２６は、ビデオオンデマンドサービスのコンテンツサーバ１との通信を行う。
【００５８】
［２．処理の流れ］
以下、メタデータ生成装置１０が番組のメタデータを生成する処理の流れについて、図６に基づいて説明する。
【００５９】
当初、メタデータ生成装置１０が備える記憶部１３には、本実施形態に係る電子番組表が含む番組に係るメタデータが格納されている。
【００６０】
制御部１１は、通信部を介してコンテンツサーバ１からコンテンツリストを取得し、記憶部１３に格納する。コンテンツ検出部１２が、記憶部１３に格納されているメタデータに係る番組と同一の内容のビデオオンデマンドコンテンツが存在するか否かを各番組についてそれぞれ判定する。制御部１１は、上記判定に応じて、当該ビデオオンデマンドコンテンツが、当該メタデータに係る番組コンテンツと同一の内容であった場合には、上記メタデータに当該ビデオオンデマンドコンテンツに対するリンク（及び再生制御情報。以下本明細書において同じ）を含ませる。
【００６１】
記憶部１３に格納されたメタデータは、メタデータ生成装置１０に対する直接の入力、又は制御部１１が、図６には図示しないデータベースとの同期を行うことにより、所定の時刻又は時間ごとに更新される。また、記憶部１３に格納された上記コンテンツリストについても、制御部１１が通信部にコンテンツサーバ１へ所定の時刻又は時間ごとにアクセスさせることにより更新される。コンテンツ検出部１２は、当該コンテンツリストが含むビデオオンデマンドコンテンツが上記メタデータに係る番組コンテンツと同一の内容であるか否かの判定を都度行い、当該ビデオオンデマンドコンテンツが、当該メタデータに係る番組コンテンツと同一の内容であった場合には、上記メタデータに当該ビデオオンデマンドコンテンツに対するリンクを含ませる。
【００６２】
制御部１１は、所定の時刻又は時間ごとに、番組ごとのメタデータが揃うごとに、又は常に、放送部１４に放送波によって直接的又は間接的に上記メタデータを配信させる。
【００６３】
次に、表示装置４ａが電子番組表を表示する処理の流れについて、図５〜図７に基づいて説明する。
【００６４】
受信部２４は、上記メタデータを受信し、制御部２１は上記メタデータを記憶部２３に格納する。番組表生成部２２は、上記メタデータから、ビデオオンデマンドコンテンツにアクセス可能な電子番組表を生成する。一例として、上記生成において、番組のメタデータに、当該番組と同一の内容のビデオオンデマンドコンテンツに対するリンクが含まれる場合には、当該番組に係る番組欄に上記ビデオオンデマンドコンテンツに対するリンク先情報を含ませる。
【００６５】
制御部２１は、上記電子番組表を表示部３０に表示させる。
【００６６】
図５に示す電子番組表において、同一の内容のビデオオンデマンドコンテンツが存在する番組の番組欄にカーソルを移動し、上記番組欄を選択すると、上記番組と同一の内容のビデオオンデマンドコンテンツの再生画面に遷移する。具体的に説明すると、ユーザによる上記番組欄の選択操作に係る信号を入力受付部２５が受信する。制御部２１は、通信部２６にコンテンツサーバ１へのアクセスをさせることにより、上記番組欄に係る番組と同一の内容のビデオオンデマンドコンテンツを取得させる。次いで制御部２１は、上記ビデオオンデマンドコンテンツを記憶部２３に格納し、表示部３０に表示させる。
【００６７】
図７は、ビデオオンデマンドコンテンツの再生画面の一例である。図７に示すように、ビデオオンデマンドコンテンツは、放送波による番組と異なり早送りや一時停止等の操作が可能となっている。当該ビデオオンデマンドコンテンツの再生を終了した場合（図７における停止ボタンを選択した場合）には、制御部２１は、再度、当該ビデオオンデマンドコンテンツのアクセス元である電子番組表を表示部３０に表示させる。
【００６８】
上記の構成によれば、同じ内容のコンテンツであれば、デジタル放送、ビデオオンデマンドなどのサービスの形態を問わず、同じ電子番組表上の時系列リスト上から当該コンテンツを選択して視聴可能となる効果を奏する。
【００６９】
［変形例１］
上記の実施形態２においては、ビデオオンデマンドコンテンツの再生を終了した場合、元の電子番組表に遷移したが、本願発明は上記の構成に限定されず、制御部２１は、当該ビデオオンデマンドコンテンツが属する放送局の番組を表示部３０に表示させてもよい。
【００７０】
上記の構成によれば、ビデオオンデマンドコンテンツの再生を終了した場合に、電子番組表表示画面を介さずに引き続き当該放送局の番組を視聴できる為、ユーザの利便性の向上に寄与する効果を奏する。
【００７１】
［変形例２］
本変形例では、開始時刻が過ぎた放送中の番組であって、同一の内容のビデオオンデマンドコンテンツが存在する場合の構成について図６、図８及び図９に基づいて説明する。
【００７２】
本変形例においても、図６に示す構成を用い、制御部２１が、表示部３０に電子番組表を表示させるまでの処理は実施形態２と同様である。
【００７３】
図８は、本変形例に係る現在の時間帯に属する番組に係る電子番組表の一例である。
【００７４】
図８において、カーソルが合わせられている番組欄９２に係る番組は、現在放送中の番組であって、同一の内容のビデオオンデマンドコンテンツが存在する。
【００７５】
図９は、上記番組欄を選択した場合の表示画面の一例である。
【００７６】
ユーザが上記番組欄を選択した場合、入力受付部２５は、上記選択操作に係る信号を受信する。制御部２１は、図９に示すように、開始時刻が過ぎた当該番組を途中から視聴するか、又は同一の内容のビデオオンデマンドコンテンツを（最初から）視聴するかを表示部３０に選択可能に表示させる。
【００７７】
ユーザは上記の選択肢のうち何れかを選択し、制御部２１は上記選択に応じたコンテンツを表示部３０に表示させる。
【００７８】
上記の構成によれば、開始時刻が過ぎた放送中の番組を再生する場合に、当該番組を途中から視聴するか、又は同一の内容のビデオオンデマンドコンテンツを視聴するかをユーザが任意に選択できる為、より快適な視聴環境を実現できる。
【００７９】
［変形例３］
本変形例では、主に未来の時間帯に属する番組であって、視聴がロックされている番組に係る番組欄を選択した場合の構成について図６、図１０及び図１１に基づいて説明する。
【００８０】
本変形例においても、図６に示す構成を用い、制御部２１が、表示部３０に電子番組表を表示させるまでの処理は実施形態２と同様である。
【００８１】
図１０は、本変形例に係る未来の時間帯に属する番組に係る電子番組表の一例である。
【００８２】
図１０において、カーソルが合わせられている番組欄９３に係る番組は、未来の時間帯に属しており、上記番組と同一の内容のビデオオンデマンドコンテンツは視聴がロックされている。
【００８３】
図１１は、上記番組欄を選択した場合の表示画面の一例である。
【００８４】
ユーザが上記番組欄を選択した場合、入力受付部２５は、上記選択操作に係る信号を受信する。制御部２１は、図１１に示すように、上記ビデオオンデマンドコンテンツの視聴ロックが解除されて以降、表示装置４ａ（テレビジョン受像機２ａ）の電源を入れた場合に、上記番組を再生するか否かを表示部３０に選択可能に表示させる。
【００８５】
上記ビデオオンデマンドコンテンツの視聴ロックが解除されて以降、表示装置４ａの電源がＯＮとなった場合に、上記ビデオオンデマンドコンテンツを再生することを選択した場合、制御部２１は、上記再生に係る視聴予約情報を記憶部２３に格納する。なお、上記選択を行わなかった場合は、図１０に示す表示画面に戻る。
【００８６】
上記番組のロックが解除されて以降、表示装置４ａの電源がＯＮとなった場合に、制御部２１は、上記視聴予約情報を参照し、実施形態２と同様の処理により、上記ビデオオンデマンドコンテンツを表示部３０に表示させる。
【００８７】
上記の構成によれば、ユーザが視聴を望むビデオオンデマンドコンテンツが視聴ロックされていた場合でも、以降に上記視聴ロックが解除された場合に忘れずに上記ビデオオンデマンドコンテンツを視聴できる効果を奏する。
【００８８】
［変形例４］
上記の変形例３においては、所定の番組と同一の内容のビデオオンデマンドコンテンツが存在し、上記ビデオオンデマンドコンテンツの再生が視聴ロックされている場合に視聴予約を行う処理について説明したが、本願発明は上記の構成に限定されない。同一の内容のビデオオンデマンドコンテンツが存在しない番組についても、視聴予約を行い、上記視聴予約以降にコンテンツサーバ１が当該ビデオオンデマンドコンテンツの配信を開始した場合に変形例３と同様の処理によりユーザによる任意の視聴タイミングで、制御部２１が、上記ビデオオンデマンドコンテンツを表示部３０に表示させる構成でも構わない。
【００８９】
上記の構成によれば、ユーザが視聴を望むビデオオンデマンドコンテンツが配信されていない場合でも、以降に上記ビデオオンデマンドコンテンツが配信された場合に忘れずに上記ビデオオンデマンドコンテンツを視聴できる効果を奏する。
【００９０】
［変形例５］
図１２は、本変形例に係る電子番組表の処理を示す図である。
【００９１】
過去の電子番組表を生成する場合には、図１２の電子番組表１００のように、対応するビデオオンデマンドコンテンツが存在する番組に係る番組欄のみからなる電子番組表を生成する構成でもよい。
【００９２】
また、ユーザが過去の時間帯に属する番組に対応するビデオオンデマンドコンテンツを視聴した場合に、電子番組表上の現在時間枠の番組に係る番組欄であって、上記ビデオオンデマンドコンテンツが属する放送局の番組に係る番組欄を上記ビデオオンデマンドコンテンツに係る番組欄に差し替える構成でも構わない。図１２に基づいて具体的に説明すると、過去の電子番組表１００において、ビデオオンデマンドコンテンツに係る番組欄９４を選択すると、制御部２１は、選択肢９５のように、上記ビデオオンデマンドコンテンツを視聴するかを表示部３０に選択可能に表示させる。ユーザが、上記ビデオオンデマンドコンテンツを視聴する旨の操作を行った場合、入力受付部２５は、上記操作に係る信号を受信し、制御部２１は、上記ビデオオンデマンドコンテンツを表示部３０に表示させる。また、番組表生成部２２は、現在の電子番組表１０１において上記ビデオオンデマンドコンテンツが属する放送局の番組に係る現在時間枠の番組欄を上記ビデオオンデマンドコンテンツに係る番組欄９６に差し替える。
【００９３】
上記の構成によれば、ビデオオンデマンドコンテンツの視聴を一時中断し、再度視聴する場合、上記ビデオオンデマンドコンテンツに現在の電子番組表から容易にアクセスできる効果を奏する。
【００９４】
＜実施形態２の変形例３及び変形例４に係る付記事項＞
上記の変形例３又は変形例４において、上記ビデオオンデマンドコンテンツの視聴ロックが解除されて以降、又は上記ビデオオンデマンドコンテンツの配信が開始されて以降、表示装置４ａの電源がＯＮとなった場合に、制御部２１は、上記ビデオオンデマンドコンテンツを再生するか否かを表示部３０に選択可能に表示させ、以降、上記選択に準拠した処理を行う構成でもよい。また、別途視聴予約一覧画面を経由し、ユーザによる任意の視聴タイミングで上記ビデオオンデマンドコンテンツを再生する構成でも構わない。
【００９５】
また、番組の視聴予約情報が記憶部２３に格納された状態で、表示装置４ａの電源がＯＮである場合であって、当該番組の放送中であって当該番組を視聴していない場合又は当該番組の放送開始時刻よりも所定の時間だけ前の時刻である場合には、上記視聴予約情報に係る番組が放送中又は所定の時間後に放送開始する旨を通知する構成でも構わない。なお、当然に上記の処理においては、当該ビデオオンデマンドコンテンツの視聴ロックの解除を待たずともよい。また、上記番組を所定の時間以上視聴した場合には、当該ビデオオンデマンドコンテンツの視聴予約を自動的に取り消す構成でも構わない。
【００９６】
＜実施形態１及び２並びに各変形例に係る付記事項＞
上記の実施形態１及び２並びに各変形例では、所定の番組と同一の内容のビデオオンデマンドコンテンツのみをコンテンツ検出部１２による検出対象としたが、本願発明は上記の構成に限定されない。例えば、関連するビデオオンデマンドコンテンツや、先週以前に放送された同じシリーズの番組を対応させてもよい。
【００９７】
また、放送部１４による番組のメタデータの配信は必ずしも放送波によるものでなくても構わない。
【００９８】
また、ユーザが契約しているコンテンツプロバイダが有するビデオオンデマンドコンテンツに関してのみ、番組欄に当該ビデオオンデマンドコンテンツが存在する旨を表示又はリンクを表示させる構成でもよい。あるいは任意の、又は主要なコンテンツプロバイダが有するビデオオンデマンドコンテンツに関して、番組欄に当該ビデオオンデマンドコンテンツが存在する旨を表示又はリンクを表示させる構成でも構わない。
【００９９】
〔ソフトウェアによる実現例〕
番組表生成装置（２０及び２０ａ）の制御ブロック（特に制御部２１及び記憶部２３）及びメタデータ生成装置１０の制御ブロック（特に制御部１１及び記憶部１３）は、集積回路（ＩＣチップ）等に形成された論理回路（ハードウェア）によって実現してもよいし、ソフトウェアによって実現してもよい。
【０１００】
後者の場合、番組表生成装置（２０及び２０ａ）は、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【０１０１】
〔まとめ〕
本発明の態様１に係る番組表生成装置（２０及び２０ａ）は、電子番組表を生成する番組表生成装置（２０及び２０ａ）であって、番組に関するメタデータから電子番組表を生成する番組表生成部２２を備え、上記番組表生成部２２は、所定の番組欄に係る番組に対応するビデオオンデマンドコンテンツが存在する場合に、上記番組欄に上記ビデオオンデマンドコンテンツが存在する旨の情報を含ませる構成である。
【０１０２】
上記の構成によれば、ユーザが電子番組表上の所定の番組に対応するビデオオンデマンドコンテンツの存在を容易に把握できる効果を奏する。
【０１０３】
本発明の態様２に係る番組表生成装置（２０及び２０ａ）は、上記の態様１において、上記番組表生成部２２は、所定の番組欄に係る番組に対応するビデオオンデマンドコンテンツが存在する場合に、上記番組欄から上記ビデオオンデマンドコンテンツにアクセス可能な電子番組表を生成する構成としてもよい。
【０１０４】
上記の構成によれば、対応するコンテンツであれば、デジタル放送、ビデオオンデマンドなどのサービスの形態を問わず、同じ電子番組表上の時系列リスト上から当該コンテンツを選択して視聴可能となる効果を奏する。
【０１０５】
本発明の態様３に係る番組表生成装置（２０及び２０ａ）は、上記の態様２において、上記番組表生成部２２は、ユーザが過去の時間帯に属する番組に対応するビデオオンデマンドコンテンツを視聴した場合に、電子番組表上の現在時間枠の番組に係る番組欄であって、上記ビデオオンデマンドコンテンツが属する放送局の番組に係る番組欄を上記ビデオオンデマンドコンテンツに係る番組欄に差し替える構成としてもよい。
【０１０６】
上記の構成によれば、ビデオオンデマンドコンテンツの視聴を一時中断し、再度視聴する場合、上記ビデオオンデマンドコンテンツに現在の電子番組表から容易にアクセスできる効果を奏する。
【０１０７】
本発明の態様４に係る表示装置（４及び４ａ）は、態様１から３までの何れか１態様に記載の番組表生成装置（２０又は２０ａ）と、表示部３０とを備えた表示装置（４及び４ａ）であって、上記表示部３０は、上記ビデオオンデマンドによるコンテンツ再生終了後に、上記コンテンツのアクセス元である電子番組表又は上記ビデオオンデマンドコンテンツが属する放送局の番組を表示する構成としてもよい。
【０１０８】
上記の構成によれば、ビデオオンデマンドコンテンツの再生を終了した場合に、電子番組表表示画面を介さずに引き続き当該放送局の番組を視聴できる為、ユーザの利便性の向上に寄与する効果を奏する。
【０１０９】
本発明の態様５に係る表示装置（４及び４ａ）は、上記の態様４において、上記表示部３０は、開始時刻が過ぎた放送中の番組であって、対応するビデオオンデマンドコンテンツが存在する番組において、上記番組の放送波による放送を視聴するのか、又はビデオオンデマンドサービスを視聴するのかを選択可能に表示する構成としてもよい。
【０１１０】
上記の構成によれば、開始時刻が過ぎた放送中の番組を再生する場合に、当該番組を途中から視聴するか、又は同一の内容のビデオオンデマンドコンテンツを視聴するかをユーザが任意に選択できる為、より快適な視聴環境を実現できる。
【０１１１】
本発明の態様６に係る表示装置（４及び４ａ）は、上記の態様４又は５において、上記表示部３０は、電子番組表上における番組が選択された場合に、再生が許可されている場合は即時に、再生が許可されていない場合には、再生が許可された後に任意の視聴タイミングでビデオオンデマンドコンテンツを表示する構成としてもよい。
【０１１２】
上記の構成によれば、ユーザが視聴を望むビデオオンデマンドコンテンツが視聴ロックされていた場合でも、以降に上記視聴ロックが解除された場合に忘れずに上記ビデオオンデマンドコンテンツを視聴できる効果を奏する。
【０１１３】
本発明の態様７に係る表示装置（４及び４ａ）は、上記の態様４から６までの何れか１態様において、上記表示部３０は、電子番組表上において対応するビデオオンデマンドコンテンツが存在しない番組が選択された場合に、当該番組に対応するビデオオンデマンドコンテンツの配信が開始した後に任意の視聴タイミングで上記ビデオオンデマンドコンテンツを表示する構成としてもよい。
【０１１４】
上記の構成によれば、ユーザが視聴を望むビデオオンデマンドコンテンツが配信されていない場合でも、以降に上記ビデオオンデマンドコンテンツが配信された場合に忘れずに上記ビデオオンデマンドコンテンツを視聴できる効果を奏する。
【０１１５】
本発明の態様８に係るテレビジョン受像機（２及び２ａ）は、態様４から７までの何れか１態様に記載の表示装置（４又は４ａ）を備える構成としてもよい。
【０１１６】
上記の構成によれば、態様３から態様６までの何れか１態様に示した効果を奏するテレビジョン受像機（２及び２ａ）を実現できる。
【０１１７】
本発明の態様９に係るメタデータ生成装置１０は、番組に関するメタデータを生成するメタデータ生成装置１０であって、所定のビデオオンデマンドサービスからコンテンツを検出するコンテンツ検出部１２を備え、上記コンテンツ検出部１２が検出したビデオオンデマンドコンテンツであって、当該番組に対応するビデオオンデマンドコンテンツが存在する場合に、上記番組に関するメタデータに上記ビデオオンデマンドコンテンツが存在する旨の情報を含ませる構成である。
【０１１８】
上記の構成によれば、態様１又は態様２に係る番組表生成装置（２０及び２０ａ）の実施に寄与する。
【０１１９】
本発明の態様１０に係る番組表生成方法は、電子番組表を生成する番組表生成方法であって、番組に関するメタデータから電子番組表を生成する番組表生成ステップを含み、上記番組表生成ステップにおいて、所定の番組欄に係る番組に対応するビデオオンデマンドコンテンツが存在する場合に、上記番組欄に上記ビデオオンデマンドコンテンツが存在する旨の情報を含ませる方法である。
【０１２０】
上記の構成によれば、態様１と同様な効果を奏する。
【０１２１】
本発明の態様１１に係るメタデータ生成方法は、番組に関するメタデータを生成するメタデータ生成方法であって、所定のビデオオンデマンドサービスからコンテンツを検出するコンテンツ検出ステップを含み、上記コンテンツ検出ステップにおいて検出したビデオオンデマンドコンテンツであって、当該番組に対応するビデオオンデマンドコンテンツが存在する場合に、上記番組に関するメタデータに上記ビデオオンデマンドコンテンツが存在する旨の情報を含ませる方法である。
【０１２２】
上記の構成によれば、態様８と同様な効果を奏する。
【０１２３】
本発明の態様１２に係る制御プログラムは、態様１から３までの何れか１態様に記載の番組表生成装置（２０又は２０ａ）としてコンピュータを機能させるための制御プログラムであって、上記番組表生成部２２としてコンピュータを機能させる構成としてもよい。
【０１２４】
本発明の態様１３に係る制御プログラムは、態様９に記載のメタデータ生成装置１０としてコンピュータを機能させるための制御プログラムであって、上記コンテンツ検出部１２としてコンピュータを機能させるため構成としてもよい。
【０１２５】
本発明の態様１４に係る記憶媒体は、態様１２に記載の制御プログラムを記録したコンピュータ読み取り可能な記録媒体であってもよい。
【０１２６】
本発明の態様１５に係る記憶媒体は、態様１３に記載の制御プログラムを記録したコンピュータ読み取り可能な記録媒体であってもよい。
【０１２７】
本発明の各態様に係る番組表生成装置（２０及び２０ａ）は、コンピュータによって実現してもよく、この場合には、コンピュータを上記番組表生成装置（２０及び２０ａ）が備える各部（ソフトウェア要素）として動作させることにより上記番組表生成装置（２０及び２０ａ）をコンピュータにて実現させる番組表生成装置（２０及び２０ａ）の制御プログラム、及びそれを記録したコンピュータ読み取り可能な記録媒体も、本発明の範疇に入る。
【０１２８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１２９】
１  コンテンツサーバ
２、２ａ  テレビジョン受像機
４、４ａ  表示装置
１０  メタデータ生成装置
１１、２１  制御部
１２  コンテンツ検出部
１３、２３  記憶部
１４  放送部
１５、２６  通信部
２０、２０ａ  番組表生成装置
２２  番組表生成部
２４  受信部
２５  入力受付部
３０  表示部
【図１】
2019054316.tif 000003
【図２】
2019054316.tif 000004
【図３】
2019054316.tif 000005
【図４】
2019054316.tif 000006
【図５】
2019054316.tif 000007
【図６】
2019054316.tif 000008
【図７】
2019054316.tif 000009
【図８】
2019054316.tif 000010
【図９】
2019054316.tif 000011
【図１０】
2019054316.tif 000012
【図１１】
2019054316.tif 000013
【図１２】
2019054316.tif 000014